【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
マルチメディア・ブロードキャスト／マルチメディア・サービス無線ベアラの受信を終了するためのリクエストを、移動局が生成することと；
前記マルチメディア・ブロードキャスト／マルチメディア・サービス無線ベアラのソースである無線ネットワークへ、前記リクエストを伝送することと
を含む方法。
【請求項２】
前記移動局は非フィードバック動作モードで動作している、請求項１に記載の方法。
【請求項３】
前記移動局はフィードバック動作モードで動作している、請求項１に記載の方法。
【請求項４】
請求項２に記載の方法であって、前記生成することおよび前記伝送することは、(PACKET) CHANNEL REQUESTメッセージをアクセス理由「Single Block MBMS Access（単一ブロックMBMSアクセス）」と共に、前記無線ネットワークへ送信することを含み、さらに前記方法は、
アップリンク無線ブロックの割り当てを前記無線ネットワークから受けることと；
前記割り当てられたアップリンク無線ブロックにおいて、MBMS SERVICE REQUESTメッセージを前記無線ネットワークへ送信することであって、前記MBMS SERVICE REQUESTは、前記移動局の識別情報およびStop Receiving MBMS Radio Bearer（MBMS無線ベアラの受信停止）パラメータを含むことと；
前記移動局の前記識別情報と、Stop Receiving MBMS Radio Bearerと定義されたTBF_RELEASE_CAUSE値とを含む、PACKET TBF RELEASEメッセージを、前記無線ネットワークから受信することと
をさらに含む、方法。
【請求項５】
請求項３に記載の方法であって、前記生成することおよび前記伝送することは、MBMS DOWNLINK ACK／NACKメッセージ中で、前記移動局の識別情報およびStop Receiving MBMS Radio Bearerパラメータを、前記無線ネットワークへ送信することを含み、さらに前記方法は、
前記移動局の前記識別情報と、Stop Receiving MBMS Radio Bearerと定義されたTBF_RELEASE_CAUSE値とを含む、PACKET TBF RELEASEメッセージを、前記無線ネットワークから受信することと
をさらに含む、方法。
【請求項６】
実行されることにより、
・  マルチメディア・ブロードキャスト／マルチメディア・サービス無線ベアラの受信を終了するためのリクエストを、移動局が生成すること；および
・  前記マルチメディア・ブロードキャスト／マルチメディア・サービス無線ベアラのソースである無線ネットワークへ、前記リクエストを伝送すること
を含む動作を遂行させるプログラム命令を備える、コンピュータ読み取り可能な記憶媒体。
【請求項７】
前記移動局は非フィードバック動作モードで動作している、請求項６に記載のコンピュータ読み取り可能な記憶媒体。
【請求項８】
前記移動局はフィードバック動作モードで動作している、請求項６に記載のコンピュータ読み取り可能な記憶媒体。
【請求項９】
前記生成動作および前記伝送動作は、(PACKET) CHANNEL REQUESTメッセージをアクセス理由「Single Block MBMS Access」と共に、前記無線ネットワークへ送信することを含み、さらに以下の動作：
アップリンク無線ブロックの割り当てを前記無線ネットワークから受けること；
前記割り当てられたアップリンク無線ブロックにおいて、MBMS SERVICE REQUESTメッセージを前記無線ネットワークへ送信すること、ただし、前記MBMS SERVICE REQUESTは、前記移動局の識別情報およびStop Receiving MBMS Radio Bearerパラメータを含むものとすること；および
前記移動局の前記識別情報と、Stop Receiving MBMS Radio Bearerと定義されたTBF_RELEASE_CAUSE値とを含む、PACKET TBF RELEASEメッセージを、前記無線ネットワークから受信すること
を含む、請求項７に記載のコンピュータ読み取り可能な記憶媒体。
【請求項１０】
前記生成動作および前記伝送動作は、MBMS DOWNLINK ACK／NACKメッセージ中で、前記移動局の識別情報およびStop Receiving MBMS Radio Bearerパラメータを、前記無線ネットワークへ送信することを含み、さらに以下の動作：
前記移動局の前記識別情報と、Stop Receiving MBMS Radio Bearerと定義されたTBF_RELEASE_CAUSE値とを含む、PACKET TBF RELEASEメッセージを、前記無線ネットワークから受信すること
を含む、請求項８に記載のコンピュータ読み取り可能な記憶媒体。
【請求項１１】
プログラムを格納するための記憶装置と；
前記記憶装置に組み合わされるデータ・プロセッサであって、前記プログラムを実行し、前記プログラムの実行に応じてマルチメディア・ブロードキャスト／マルチメディア・サービス無線ベアラの受信を終了するためのリクエストを生成させ、前記マルチメディア・ブロードキャスト／マルチメディア・サービス無線ベアラのソースである前記無線ネットワークへ前記リクエストを伝送するよう動作可能である、前記データ・プロセッサと
を含む装置。
【請求項１２】
非フィードバック・マルチメディア・ブロードキャスト／マルチメディア・サービス動作モードで動作する、請求項１１に記載の装置。
【請求項１３】
フィードバック・マルチメディア・ブロードキャスト／マルチメディア・サービス動作モードで動作する、請求項１１に記載の装置。
【請求項１４】
前記データ・プロセッサは、前記リクエストの生成および伝送の動作をするとき、リクエスト・メッセージをアクセス理由「Single Block MBMS Access」と共に前記無線ネットワークへ送信し、さらに、前記無線ネットワークからアップリンク無線ブロックの割り当てを受け；前記割り当てられたアップリンク無線ブロックにおいてMBMS SERVICE REQUESTメッセージを前記無線ネットワークへ送信し、ただし前記MBMS SERVICE REQUESTは前記装置の識別情報およびStop Receiving MBMS Radio Bearerパラメータを含むものとし；前記装置の前記識別情報と、Stop Receiving MBMS Radio Bearerと定義されたTBF_RELEASE_CAUSE値とを含むPACKET TBF RELEASEメッセージを、前記無線ネットワークから受信するように動作する、請求項１２に記載の装置。
【請求項１５】
前記データ・プロセッサは、前記リクエストの生成および伝送の動作をするとき、MBMS DOWNLINK ACK／NACKメッセージ中で、前記装置の識別情報およびStop Receiving MBMS Radio Bearerパラメータを前記無線ネットワークへ送信し、さらに、前記装置の前記識別情報と、Stop Receiving MBMS Radio Bearerと定義されたTBF_RELEASE_CAUSE値とを含むPACKET TBF RELEASEメッセージを、前記無線ネットワークから受信するように動作する、請求項１３に記載の装置。
【請求項１６】
マルチメディア・ブロードキャスト／マルチメディア・サービス無線ベアラの受信を終了するためのリクエストを移動局から受信することと；
それに応答して、前記移動局の識別情報と、Stop Receiving MBMS Radio Bearerと定義されたTBF_RELEASE_CAUSE値とを含む、PACKET TBF RELEASEメッセージを、前記移動局へ送信することと
を含む方法。
【請求項１７】
請求項１６に記載の方法であって、前記移動局が非フィードバック動作モードで動作している場合、前記リクエストは、(PACKET) CHANNEL REQUESTメッセージとしてアクセス理由「Single Block MBMS Access」と共に受信され、さらに、
アップリンク無線ブロックを前記移動局へ割り当てることと；
前記割り当てられたアップリンク無線ブロックにおいて、前記移動局の前記識別情報およびStop Receiving MBMS Radio Bearerパラメータを含む、MBMS SERVICE REQUESTメッセージを受信することと；
を含み、
前記PACKET TBF RELEASEメッセージを送信することは、前記MBMS SERVICE REQUESTメッセージの前記受信に応答して起こる、方法。
【請求項１８】
前記移動局がフィードバック動作モードで動作している場合、前記リクエストは、Stop Receiving MBMS Radio Bearerパラメータを含むMBMS DOWNLINK ACK／NACKメッセージ中で受信され、前記PACKET TBF RELEASEメッセージを送信することは、前記MBMS DOWNLINK ACK／NACKメッセージの前記受信に応答して起こる、請求項１６に記載の方法。
【請求項１９】
実行されることにより、
・  マルチメディア・ブロードキャスト／マルチメディア・サービス無線ベアラの受信を終了するためのリクエストを移動局から受信すること；および
・  それに応答して、前記移動局の識別情報と、Stop Receiving MBMS Radio Bearerと定義されたTBF_RELEASE_CAUSE値とを含む、PACKET TBF RELEASEメッセージを、前記移動局へ送信すること
を含む動作を遂行させるプログラム命令を備える、コンピュータ読み取り可能な記憶媒体。
【請求項２０】
前記移動局が非フィードバック動作モードで動作している場合、前記リクエストは、(PACKET) CHANNEL REQUESTメッセージとしてアクセス理由「Single Block MBMS Access」と共に受信され、以下の動作：
アップリンク無線ブロックを前記移動局へ割り当てること；および
前記割り当てられたアップリンク無線ブロックにおいて、前記移動局の前記識別情報およびStop Receiving MBMS Radio Bearerパラメータを含む、MBMS SERVICE REQUESTメッセージを受信すること；
を遂行させるプログラム命令をさらに備え、
前記PACKET TBF RELEASEメッセージの前記送信は、前記MBMS SERVICE REQUESTメッセージの前記受信に応答して起こる、請求項１９に記載のコンピュータ読み取り可能な記憶媒体。
【請求項２１】
前記移動局がフィードバック動作モードで動作している場合、前記リクエストは、Stop Receiving MBMS Radio Bearerパラメータを含むMBMS DOWNLINK ACK／NACKメッセージ中で受信され、前記PACKET TBF RELEASEメッセージの前記送信は、前記MBMS DOWNLINK ACK／ＮＡＫメッセージの前記受信に応答して起こる、請求項１９に記載のコンピュータ読み取り可能な記憶媒体。
【請求項２２】
プログラムを格納するための記憶装置と；
前記記憶装置に組み合わされるデータ・プロセッサであって、前記プログラムを実行し、前記プログラムの実行に応答してマルチメディア・ブロードキャスト／マルチメディア・サービス無線ベアラの受信を終了するためのリクエストを移動局から受信し、
前記受信に応答して、前記移動局の識別情報と、Stop Receiving MBMS Radio Bearerと定義されたTBF_RELEASE_CAUSE値とを含む、PACKET TBF RELEASEメッセージを、前記移動局へ送信するように動作可能である、前記データ・プロセッサと
を含む、装置。
【請求項２３】
前記移動局が非フィードバック動作モードで動作している場合、前記リクエストは、(PACKET) CHANNEL REQUESTメッセージとしてアクセス理由「Single Block MBMS Access」と共に受信され、前記データ・プロセッサは、アップリンク無線ブロックを前記移動局へ割り当てて、前記割り当てられたアップリンク無線ブロックにおいて、前記移動局の前記識別情報およびStop Receiving MBMS Radio Bearerパラメータを含むMBMS SERVICE REQUESTメッセージを受信するように、さらに動作可能であり；前記PACKET TBF RELEASEメッセージの前記送信は、前記MBMS SERVICE REQUESTメッセージの前記受信に応答して起こる、請求項２２に記載の装置。
【請求項２４】
前記移動局がフィードバック動作モードで動作している場合、前記リクエストは、Stop Receiving MBMS Radio Bearerパラメータを含むMBMS DOWNLINK ACK／NACKメッセージ中で受信され、前記データ・プロセッサは、前記MBMS DOWNLINK ACK／ＮＡＫメッセージの前記受信に応答して前記PACKET TBF RELEASEメッセージを送信するように動作可能である、請求項２２に記載の装置。
【請求項２５】
マルチメディア・ブロードキャスト／マルチメディア・サービスＭＢＭＳ動作モードで移動局を動作させるための方法であって、前記方法は、
マルチメディア・ブロードキャスト／マルチメディア・サービス無線ベアラの受信を終了するためのリクエストを、前記移動局が生成することと；
前記マルチメディア・ブロードキャスト／マルチメディア・サービス無線ベアラのソースである無線ネットワークへ、前記リクエストを伝送することと
を含み、
前記移動局が非フィードバック動作モードで動作している場合、前記生成することおよび前記伝送することは、アップリンク無線ブロックをリクエストするためのリクエスト・メッセージを前記無線ネットワークへ送信することを含み、前記方法はさらに、
アップリンク無線ブロックの割り当てを前記無線ネットワークから受けることと；
前記割り当てられたアップリンク無線ブロックにおいて、MBMS SERVICE REQUESTメッセージを前記無線ネットワークへ送信することであって、前記MBMS SERVICE REQUESTは、前記移動局の識別情報およびStop Receiving MBMS Radio Bearerパラメータを含むことと；
前記移動局の前記識別情報と、Stop Receiving MBMS Radio Bearerと定義されたTBF_RELEASE_CAUSE値とを含む、PACKET TBF RELEASEメッセージを、前記無線ネットワークから受信することと；
を含み、
前記移動局がフィードバック動作モードで動作している場合、前記生成することおよび前記伝送することは、フィードバック関連メッセージ中で、前記移動局の識別情報およびStop Receiving MBMS Radio Bearerパラメータを前記無線ネットワークへ送信することを含み、前記方法は、さらに、前記移動局の前記識別情報と、Stop Receiving MBMS Radio Bearerと定義されたTBF_RELEASE_CAUSE値とを含む、前記PACKET TBF RELEASEメッセージを、前記無線ネットワークから受信することを含む、方法。
【請求項２６】
前記リクエスト・メッセージは、アクセス理由「Single Block MBMS Access」を伴う(PACKET) CHANNEL REQUESTメッセージである、請求項２５に記載の方法。
【請求項２７】
前記フィードバック関連メッセージはMBMS DOWNLINK ACK／NACKメッセージである、請求項２５に記載の方法。